(57)【特許請求の範囲】
【請求項１】
イベントに参加した複数の参加者および前記イベントに同行した１以上の同行者によって撮影された複数の画像を取得する画像取得部と、
前記複数の画像を記憶する画像記憶部と、
前記画像記憶部に記憶された複数の画像の各々を解析する画像解析部と、
前記各々の画像の解析結果に基づいて、前記各々の画像に解析タグ情報を付与するタグ情報付与部と、
前記複数の参加者の各々の指示として、前記各々の参加者によって指定されたタグ情報である指定タグ情報を取得する指示取得部と、
前記各々の参加者用の抽出画像として、前記画像記憶部に記憶された複数の画像の中から前記各々の参加者によって指定された指定タグ情報に一致する解析タグ情報が付与された画像を抽出する画像抽出部と、
前記各々の参加者用の抽出画像を前記各々の参加者に提示する画像提示部と、
前記各々の参加者用の抽出画像の中から前記各々の画像の解析結果に基づいて画像を選択する画像選択部と、を備え、
前記画像解析部は、前記各々の画像の解析結果に基づいて、前記同行者によって撮影された画像と、前記各々の参加者によって撮影された画像との間で画像の評価の重み付けの大きさを変えて前記各々の画像の評価スコアを算出し、
前記画像選択部は、前記各々の参加者用の抽出画像の中から前記各々の画像の評価スコアに基づいて画像を選択する画像提示システム。
【請求項２】
前記指示取得部は、前記各々の参加者の指示として、さらに、前記各々の参加者によって前記各々の参加者用の抽出画像の中から指定された画像の情報である指定画像情報を取得し、
前記画像提示システムは、さらに、前記各々の参加者用の抽出画像の中から前記指定画像情報に対応する画像のダウンロード、および、前記指定画像情報に対応する画像のプリントの少なくとも一方の注文を受け付ける注文受付部を備える請求項１に記載の画像提示システム。
【請求項３】
前記画像選択部は、前記各々の参加者用の候補画像として、前記各々の参加者用の抽出画像の中から画像を選択し、
前記画像提示システムは、さらに、前記各々の参加者用の候補画像を用いて前記各々の参加者用の合成画像を生成する合成画像生成部を備え、
前記画像提示部は、さらに、前記各々の参加者用の合成画像を前記各々の参加者に提示する請求項１に記載の画像提示システム。
【請求項４】
前記画像解析部は、前記同行者であるプロカメラマンによって撮影された画像と、前記各々の参加者によって撮影された画像との間で画像の評価の重み付けの大きさを変える請求項３に記載の画像提示システム。
【請求項５】
前記指示取得部は、さらに、前記各々の参加者の指示として、前記各々の参加者用の合成画像の編集を指示する画像編集情報を取得し、
前記画像提示システムは、さらに、前記各々の参加者用の画像編集情報に応じて前記各々の参加者用の合成画像を編集して前記各々の参加者用の編集後の合成画像を生成する画像編集部と、前記各々の参加者用の編集後の合成画像のダウンロード、および、前記編集後の合成画像のプリントの少なくとも一方の注文を受け付ける注文受付部と、を備える請求項３または４に記載の画像提示システム。
【請求項６】
イベントに参加した複数の参加者および前記イベントに同行した１以上の同行者によって撮影された複数の画像を取得する画像取得部と、
前記複数の画像を記憶する画像記憶部と、
前記画像記憶部に記憶された複数の画像の各々を解析する画像解析部と、
前記各々の画像の解析結果に基づいて、前記各々の画像に解析タグ情報を付与するタグ情報付与部と、
前記複数の参加者の各々の指示として、前記各々の参加者によって指定されたタグ情報である指定タグ情報を取得する指示取得部と、
前記各々の参加者用の抽出画像として、前記画像記憶部に記憶された複数の画像の中から前記各々の参加者によって指定された指定タグ情報に一致する解析タグ情報が付与された画像を抽出する画像抽出部と、
前記各々の参加者用の抽出画像を前記各々の参加者に提示する画像提示部と、を備え、
前記指示取得部は、前記各々の参加者の指示として、さらに、前記各々の参加者によって前記各々の参加者用の抽出画像の中から指定された画像の情報である指定画像情報を取得し、
前記画像提示システムは、さらに、前記各々の参加者用の抽出画像の中から前記指定画像情報に対応する画像のダウンロード、および、前記指定画像情報に対応する画像のプリントの少なくとも一方の注文を受け付ける注文受付部と、
前記画像取得部によって取得される前の各々の画像に、前記各々の画像を撮影した人物の識別子を付与する識別子付与部と、
前記注文に対する料金を算出する料金算出部と、を備え、
前記料金算出部は、前記識別子に基づいて、前記各々の参加者の画像と前記同行者の画像とを異なる料金に設定して前記料金を算出する画像提示システム。
【請求項７】
前記画像取得部は、前記同行者が所有するデジタルカメラによって撮影された画像が格納された通信装置からアップロードされた前記同行者の画像を取得し、
前記識別子付与部は、前記各々の画像の付加情報に含まれる前記デジタルカメラの機種の情報を前記識別子として使用する請求項６に記載の画像提示システム。
【請求項８】
前記画像取得部は、前記同行者が所有するデジタルカメラによって撮影された画像が格納された通信装置からアップロードされた前記同行者の画像を取得し、
前記識別子付与部は、前記通信装置から前記画像取得部に画像をアップロードするアップロード専用アプリケーションに設定された前記同行者の情報を前記識別子として使用する請求項６に記載の画像提示システム。
【請求項９】
イベントに参加した複数の参加者および前記イベントに同行した１以上の同行者によって撮影された複数の画像を取得する画像取得部と、
前記複数の画像を記憶する画像記憶部と、
前記画像記憶部に記憶された複数の画像の各々を解析する画像解析部と、
前記各々の画像の解析結果に基づいて、前記各々の画像に解析タグ情報を付与するタグ情報付与部と、
前記画像取得部によって取得される前の各々の画像に、前記各々の画像を撮影した人物の識別子を付与する識別子付与部と、
前記複数の参加者の各々の識別子および前記各々の画像の解析結果に基づいて、前記各々の参加者の嗜好を判定する嗜好判定部と、
前記各々の参加者の指示として、前記各々の参加者によって指定されたタグ情報である指定タグ情報を取得する指示取得部と、
前記各々の参加者用の抽出画像として、前記画像記憶部に記憶された複数の画像の中から前記各々の参加者によって指定された指定タグ情報に一致する解析タグ情報が付与され、かつ前記各々の参加者の嗜好に一致する画像を抽出する画像抽出部と、
前記各々の参加者用の抽出画像を前記各々の参加者に提示する画像提示部と、を備える画像提示システム。
【請求項１０】
前記指示取得部は、前記各々の参加者の指示として、さらに、前記各々の参加者によって前記各々の参加者用の抽出画像の中から指定された画像の情報である指定画像情報を取得し、
前記画像提示システムは、さらに、前記各々の参加者用の抽出画像の中から前記指定画像情報に対応する画像のダウンロード、および、前記指定画像情報に対応する画像のプリントの少なくとも一方の注文を受け付ける注文受付部を備える請求項９に記載の画像提示システム。
【請求項１１】
さらに、前記各々の参加者用の候補画像として、前記各々の参加者用の抽出画像の中から前記各々の画像の解析結果に基づいて画像を選択する画像選択部と、
前記各々の参加者用の候補画像を用いて前記各々の参加者用の合成画像を生成する合成画像生成部と、を備え、
前記画像提示部は、さらに、前記各々の参加者用の合成画像を前記各々の参加者に提示する請求項９に記載の画像提示システム。
【請求項１２】
前記画像解析部は、前記各々の画像の解析結果に基づいて、前記同行者であるプロカメラマンによって撮影された画像と、前記各々の参加者によって撮影された画像との間で画像の評価の重み付けの大きさを変えて前記各々の画像の評価スコアを算出し、
前記画像選択部は、前記各々の参加者用の抽出画像の中から前記各々の画像の評価スコアに基づいて画像を選択する請求項１１に記載の画像提示システム。
【請求項１３】
前記指示取得部は、さらに、前記各々の参加者の指示として、前記各々の参加者用の合成画像の編集を指示する画像編集情報を取得し、
前記画像提示システムは、さらに、前記各々の参加者用の画像編集情報に応じて前記各々の参加者用の合成画像を編集して前記各々の参加者用の編集後の合成画像を生成する画像編集部と、前記各々の参加者用の編集後の合成画像のダウンロード、および、前記編集後の合成画像のプリントの少なくとも一方の注文を受け付ける注文受付部と、を備える請求項１１または１２に記載の画像提示システム。
【請求項１４】
さらに、前記注文に対する料金を算出する料金算出部を備え、
前記料金算出部は、前記識別子に基づいて、前記各々の参加者の画像と前記同行者の画像とを異なる料金に設定して前記料金を算出する請求項１０または１３に記載の画像提示システム。
【請求項１５】
前記画像提示部は、前記各々の参加者用の抽出画像の中から、前記各々の参加者の識別子が付与された画像および前記各々の参加者の嗜好に一致する画像を優先的に提示する請求項９ないし１４のいずれか一項に記載の画像提示システム。
【請求項１６】
前記画像記憶部は、さらに、前記各々の参加者によって撮影された前記各々の参加者の顔画像を記憶し、
前記識別子付与部は、前記各々の参加者の顔画像を、前記各々の参加者によって撮影された画像を撮影した人物の識別子として使用する請求項９ないし１５のいずれか一項に記載の画像提示システム。
【請求項１７】
前記画像取得部は、前記各々の参加者が所有するカメラ付きの携帯端末にインストールされた画像撮影アプリケーションによって撮影され、前記画像撮影アプリケーションからアップロードされた前記各々の参加者の画像を取得し、
前記識別子付与部は、前記各々の参加者の携帯端末に保存された前記各々の参加者の情報を前記識別子として使用する請求項９ないし１６のいずれか一項に記載の画像提示システム。
【請求項１８】
前記画像取得部は、前記各々の参加者が所有するデジタルカメラによって撮影された画像が格納された通信装置からアップロードされた前記各々の参加者の画像を取得し、
前記識別子付与部は、前記通信装置から前記画像取得部に画像をアップロードするアップロード専用アプリケーションに設定された前記各々の参加者の情報を前記識別子として使用する請求項９ないし１６のいずれか一項に記載の画像提示システム。
【請求項１９】
前記画像取得部は、前記同行者が所有するデジタルカメラによって撮影された画像が格納された通信装置からアップロードされた前記同行者の画像を取得し、
前記識別子付与部は、前記通信装置から前記画像取得部に画像をアップロードするアップロード専用アプリケーションに設定された前記同行者の情報を前記識別子として使用する請求項９ないし１６のいずれか一項に記載の画像提示システム。
【請求項２０】
画像取得部が、イベントに参加した複数の参加者および前記イベントに同行した１以上の同行者によって撮影された複数の画像を取得するステップと、
画像記憶部が、前記複数の画像を記憶するステップと、
画像解析部が、前記画像記憶部に記憶された複数の画像の各々を解析するステップと、
タグ情報付与部が、前記各々の画像の解析結果に基づいて、前記各々の画像に解析タグ情報を付与するステップと、
指示取得部が、前記複数の参加者の各々の指示として、前記各々の参加者によって指定されたタグ情報である指定タグ情報を取得するステップと、
画像抽出部が、前記各々の参加者用の抽出画像として、前記画像記憶部に記憶された複数の画像の中から前記各々の参加者によって指定された指定タグ情報に一致する解析タグ情報が付与された画像を抽出するステップと、
画像提示部が、前記各々の参加者用の抽出画像を前記各々の参加者に提示するステップと、
画像選択部が、前記各々の参加者用の抽出画像の中から前記各々の画像の解析結果に基づいて画像を選択するステップと、を含み、
前記各々の画像を解析するステップは、前記各々の画像の解析結果に基づいて、前記同行者によって撮影された画像と、前記各々の参加者によって撮影された画像との間で画像の評価の重み付けの大きさを変えて前記各々の画像の評価スコアを算出し、
前記画像を選択するステップは、前記各々の参加者用の抽出画像の中から前記各々の画像の評価スコアに基づいて画像を選択する画像提示方法。
【請求項２１】
画像取得部が、イベントに参加した複数の参加者および前記イベントに同行した１以上の同行者によって撮影された複数の画像を取得するステップと、
画像記憶部が、前記複数の画像を記憶するステップと、
画像解析部が、前記画像記憶部に記憶された複数の画像の各々を解析するステップと、
タグ情報付与部が、前記各々の画像の解析結果に基づいて、前記各々の画像に解析タグ情報を付与するステップと、
識別子付与部が、前記画像を取得するステップによって取得される前の各々の画像に、前記各々の画像を撮影した人物の識別子を付与するステップと、
嗜好判定部が、前記複数の参加者の各々の識別子および前記各々の画像の解析結果に基づいて、前記各々の参加者の嗜好を判定するステップと、
指示取得部が、前記各々の参加者の指示として、前記各々の参加者によって指定されたタグ情報である指定タグ情報を取得するステップと、
画像抽出部が、前記各々の参加者用の抽出画像として、前記画像記憶部に記憶された複数の画像の中から前記各々の参加者によって指定された指定タグ情報に一致する解析タグ情報が付与され、かつ前記各々の参加者の嗜好に一致する画像を抽出し、
画像提示部が、前記各々の参加者用の抽出画像を前記各々の参加者に提示するステップとを含む画像提示方法。
【請求項２２】
請求項２０または２１に記載の画像提示方法の各々のステップをコンピュータに実行させるためのプログラム。
【請求項２３】
請求項２０または２１に記載の画像提示方法の各々のステップをコンピュータに実行させるためのプログラムが記録されたコンピュータ読み取り可能な記録媒体。
【発明の詳細な説明】
【技術分野】
【０００１】
本発明は、イベントに参加した複数の参加者およびプロカメラマン等の同行者によって撮影された複数の画像を参加者に提示する画像提示システム、画像提示方法、プログラムおよび記録媒体に関する。
【背景技術】
【０００２】
結婚披露宴等のように、複数の参加者が参加するイベントにおいて、そのイベント中に複数の参加者およびプロカメラマン等の同行者によって撮影された複数の画像を共有してプロジェクタ等を用いて表示する、および、ダウンロードすることができるサービスが各社より提供されている。
【０００３】
このようなサービスは、結婚披露宴だけでなく、例えば旅行ツアー等のように、複数の参加者が参加する各種のイベントにおいても利用可能である。【０００４】
ここで、本発明に関連性のある先行技術文献としては、特許文献１および２がある。
【先行技術文献】
【特許文献】
【０００５】
【特許文献１】特開２００４−２２０４２０号公報
【特許文献２】特許第５０２３３９８号公報
【発明の概要】
【発明が解決しようとする課題】
【０００６】
一方で、上記のようなサービスにおいて、例えば結婚披露宴の場合には、新郎新婦および特定の被写体の画像等のように、また旅行ツアーの場合には、景勝地および特定の被写体の画像等のように、複数の参加者およびプロカメラマン等の同行者によって撮影された複数の画像の中から各々の参加者が特定の画像を選択してダウンロードする、プリントを注文する、および、フォトアルバム（フォトブック）を作成して注文する等のニーズがあると考えられるが、実現できていない。【０００７】
本発明の目的は、イベントに参加した複数の参加者および同行者によって撮影された複数の画像の中から、各々の参加者が特定の画像を指定して所望の処理を行うことができる画像提示システム、画像提示方法、プログラムおよび記録媒体を提供することにある。
【課題を解決するための手段】
【０００８】
上記目的を達成するために、本発明は、イベントに参加した複数の参加者およびイベントに同行した１以上の同行者によって撮影された複数の画像を取得する画像取得部と、
複数の画像を記憶する画像記憶部と、
画像記憶部に記憶された複数の画像の各々を解析する画像解析部と、
各々の画像の解析結果に基づいて、各々の画像に解析タグ情報を付与するタグ情報付与部と、
複数の参加者の各々の指示として、各々の参加者によって指定されたタグ情報である指定タグ情報を取得する指示取得部と、
各々の参加者用の抽出画像として、画像記憶部に記憶された複数の画像の中から各々の参加者によって指定された指定タグ情報に一致する解析タグ情報が付与された画像を抽出する画像抽出部と、
各々の参加者用の抽出画像を各々の参加者に提示する画像提示部と、を備える画像提示システムを提供する。【０００９】
ここで、指示取得部は、各々の参加者の指示として、さらに、各々の参加者によって各々の参加者用の抽出画像の中から指定された画像の情報である指定画像情報を取得し、
画像提示システムは、さらに、各々の参加者用の抽出画像の中から指定画像情報に対応する画像のダウンロード、および、指定画像情報に対応する画像のプリントの少なくとも一方の注文を受け付ける注文受付部を備えることが好ましい。【００１０】
さらに、各々の参加者用の候補画像として、各々の参加者用の抽出画像の中から各々の画像の解析結果に基づいて画像を選択する画像選択部と、
各々の参加者用の候補画像を用いて各々の参加者用の合成画像を生成する合成画像生成部と、を備え、
画像提示部は、さらに、各々の参加者用の合成画像を各々の参加者に提示することが好ましい。【００１１】
また、画像解析部は、各々の画像の解析結果に基づいて、同行者であるプロカメラマンによって撮影された画像と、各々の参加者によって撮影された画像との間で画像の評価の重み付けの大きさを変えて各々の画像の評価スコアを算出し、
画像選択部は、各々の参加者用の抽出画像の中から各々の画像の評価スコアに基づいて画像を選択することが好ましい。【００１２】
指示取得部は、さらに、各々の参加者の指示として、各々の参加者用の合成画像の編集を指示する画像編集情報を取得し、
画像提示システムは、さらに、各々の参加者用の画像編集情報に応じて各々の参加者用の合成画像を編集して各々の参加者用の編集後の合成画像を生成する画像編集部と、各々の参加者用の編集後の合成画像のダウンロード、および、編集後の合成画像のプリントの少なくとも一方の注文を受け付ける注文受付部と、を備えることが好ましい。【００１３】
また、画像提示システムは、さらに、画像取得部によって取得される前の各々の画像に、各々の画像を撮影した人物の識別子を付与する識別子付与部と、注文に対する料金を算出する料金算出部と、を備え、
料金算出部は、識別子に基づいて、各々の参加者の画像と同行者の画像とを異なる料金に設定して料金を算出することが好ましい。【００１４】
また、画像取得部は、同行者が所有するデジタルカメラによって撮影された画像が格納された通信装置からアップロードされた同行者の画像を取得し、
識別子付与部は、各々の画像の付加情報に含まれるデジタルカメラの機種の情報を識別子として使用することが好ましい。【００１５】
また、画像取得部は、同行者が所有するデジタルカメラによって撮影された画像が格納された通信装置からアップロードされた同行者の画像を取得し、
識別子付与部は、通信装置から画像取得部に画像をアップロードするアップロード専用アプリケーションに設定された同行者の情報を識別子として使用することが好ましい。【００１６】
また、本発明は、イベントに参加した複数の参加者およびイベントに同行した１以上の同行者によって撮影された複数の画像を取得する画像取得部と、
複数の画像を記憶する画像記憶部と、
画像記憶部に記憶された複数の画像の各々を解析する画像解析部と、
各々の画像の解析結果に基づいて、各々の画像に解析タグ情報を付与するタグ情報付与部と、
画像取得部によって取得される前の各々の画像に、各々の画像を撮影した人物の識別子を付与する識別子付与部と、
複数の参加者の各々の識別子および各々の画像の解析結果に基づいて、各々の参加者の嗜好を判定する嗜好判定部と、
各々の参加者の指示として、各々の参加者によって指定されたタグ情報である指定タグ情報を取得する指示取得部と、
各々の参加者用の抽出画像として、画像記憶部に記憶された複数の画像の中から各々の参加者によって指定された指定タグ情報に一致する解析タグ情報が付与され、かつ各々の参加者の嗜好に一致する画像を抽出する画像抽出部と、
各々の参加者用の抽出画像を各々の参加者に提示する画像提示部と、を備える画像提示システムを提供する。【００１７】
ここで、指示取得部は、各々の参加者の指示として、さらに、各々の参加者によって各々の参加者用の抽出画像の中から指定された画像の情報である指定画像情報を取得し、
画像提示システムは、さらに、各々の参加者用の抽出画像の中から指定画像情報に対応する画像のダウンロード、および、指定画像情報に対応する画像のプリントの少なくとも一方の注文を受け付ける注文受付部を備えることが好ましい。【００１８】
さらに、各々の参加者用の候補画像として、各々の参加者用の抽出画像の中から各々の画像の解析結果に基づいて画像を選択する画像選択部と、
各々の参加者用の候補画像を用いて各々の参加者用の合成画像を生成する合成画像生成部と、を備え、
画像提示部は、さらに、各々の参加者用の合成画像を各々の参加者に提示することが好ましい。【００１９】
また、画像解析部は、各々の画像の解析結果に基づいて、同行者であるプロカメラマンによって撮影された画像と、各々の参加者によって撮影された画像との間で画像の評価の重み付けの大きさを変えて各々の画像の評価スコアを算出し、
画像選択部は、各々の参加者用の抽出画像の中から各々の画像の評価スコアに基づいて画像を選択することが好ましい。【００２０】
指示取得部は、さらに、各々の参加者の指示として、各々の参加者用の合成画像の編集を指示する画像編集情報を取得し、
画像提示システムは、さらに、各々の参加者用の画像編集情報に応じて各々の参加者用の合成画像を編集して各々の参加者用の編集後の合成画像を生成する画像編集部と、各々の参加者用の編集後の合成画像のダウンロード、および、編集後の合成画像のプリントの少なくとも一方の注文を受け付ける注文受付部と、を備えることが好ましい。【００２１】
さらに、注文に対する料金を算出する料金算出部を備え、
料金算出部は、識別子に基づいて、各々の参加者の画像と同行者の画像とを異なる料金に設定して料金を算出することが好ましい。【００２２】
また、画像提示部は、各々の参加者用の抽出画像の中から、各々の参加者の識別子が付与された画像および各々の参加者の嗜好に一致する画像を優先的に提示することが好ましい。【００２３】
画像記憶部は、さらに、各々の参加者によって撮影された各々の参加者の顔画像を記憶し、
識別子付与部は、各々の参加者の顔画像を、各々の参加者によって撮影された画像を撮影した人物の識別子として使用することが好ましい。【００２４】
また、画像取得部は、各々の参加者が所有するカメラ付きの携帯端末にインストールされた画像撮影アプリケーションによって撮影され、画像撮影アプリケーションからアップロードされた各々の参加者の画像を取得し、
識別子付与部は、各々の参加者の携帯端末に保存された各々の参加者の情報を識別子として使用することが好ましい。【００２５】
また、画像取得部は、各々の参加者が所有するデジタルカメラによって撮影された画像が格納された通信装置からアップロードされた各々の参加者の画像を取得し、
識別子付与部は、通信装置から画像取得部に画像をアップロードするアップロード専用アプリケーションに設定された各々の参加者の情報を識別子として使用することが好ましい。【００２６】
また、画像取得部は、同行者が所有するデジタルカメラによって撮影された画像が格納された通信装置からアップロードされた同行者の画像を取得し、
識別子付与部は、通信装置から画像取得部に画像をアップロードするアップロード専用アプリケーションに設定された同行者の情報を識別子として使用することが好ましい。【００２７】
また、本発明は、画像取得部が、イベントに参加した複数の参加者およびイベントに同行した１以上の同行者によって撮影された複数の画像を取得するステップと、
画像記憶部が、複数の画像を記憶するステップと、
画像解析部が、画像記憶部に記憶された複数の画像の各々を解析するステップと、
タグ情報付与部が、各々の画像の解析結果に基づいて、各々の画像に解析タグ情報を付与するステップと、
指示取得部が、複数の参加者の各々の指示として、各々の参加者によって指定されたタグ情報である指定タグ情報を取得するステップと、
画像抽出部が、各々の参加者用の抽出画像として、画像記憶部に記憶された複数の画像の中から各々の参加者によって指定された指定タグ情報に一致する解析タグ情報が付与された画像を抽出するステップと、
画像提示部が、各々の参加者用の抽出画像を各々の参加者に提示するステップとを含む画像提示方法を提供する。【００２８】
また、本発明は、画像取得部が、イベントに参加した複数の参加者およびイベントに同行した１以上の同行者によって撮影された複数の画像を取得するステップと、
画像記憶部が、複数の画像を記憶するステップと、
画像解析部が、画像記憶部に記憶された複数の画像の各々を解析するステップと、
タグ情報付与部が、各々の画像の解析結果に基づいて、各々の画像に解析タグ情報を付与するステップと、
識別子付与部が、画像を取得するステップによって取得される前の各々の画像に、各々の画像を撮影した人物の識別子を付与するステップと、
嗜好判定部が、複数の参加者の各々の識別子および各々の画像の解析結果に基づいて、各々の参加者の嗜好を判定するステップと、
指示取得部が、各々の参加者の指示として、各々の参加者によって指定されたタグ情報である指定タグ情報を取得するステップと、
画像抽出部が、各々の参加者用の抽出画像として、画像記憶部に記憶された複数の画像の中から各々の参加者によって指定された指定タグ情報に一致する解析タグ情報が付与され、かつ各々の参加者の嗜好に一致する画像を抽出し、
画像提示部が、各々の参加者用の抽出画像を各々の参加者に提示するステップとを含む画像提示方法を提供する。【００２９】
また、本発明は、上記の画像提示方法の各々のステップをコンピュータに実行させるためのプログラムを提供する。【００３０】
また、本発明は、上記の画像提示方法の各々のステップをコンピュータに実行させるためのプログラムが記録されたコンピュータ読み取り可能な記録媒体を提供する。【００３１】
また、本発明は、イベントに参加した複数の参加者およびイベントに同行した１以上の同行者によって撮影された複数の画像を取得するインタフェイス回路である画像取得部と、
複数の画像を記憶するストレージである画像記憶部と、
画像記憶部に記憶された複数の画像の各々を解析する画像解析部と、
各々の画像の解析結果に基づいて、各々の画像に解析タグ情報を付与するタグ情報付与部と、
複数の参加者の各々の指示として、各々の参加者によって指定されたタグ情報である指定タグ情報を取得する指示取得部と、
各々の参加者用の抽出画像として、画像記憶部に記憶された複数の画像の中から各々の参加者によって指定された指定タグ情報に一致する解析タグ情報が付与された画像を抽出する画像抽出部と、
各々の参加者用の抽出画像を各々の参加者に提示するディスプレイである画像提示部と、を備え、
前記画像解析部、前記タグ情報付与部、前記指示取得部および前記画像抽出部は、ハードウェア、または、プログラムを実行するプロセッサである画像提示システムを提供する。【００３２】
また、本発明は、イベントに参加した複数の参加者およびイベントに同行した１以上の同行者によって撮影された複数の画像を取得するインタフェイス回路である画像取得部と、
複数の画像を記憶するストレージである画像記憶部と、
画像記憶部に記憶された複数の画像の各々を解析する画像解析部と、
各々の画像の解析結果に基づいて、各々の画像に解析タグ情報を付与するタグ情報付与部と、
画像取得部によって取得される前の各々の画像に、各々の画像を撮影した人物の識別子を付与する識別子付与部と、
複数の参加者の各々の識別子および各々の画像の解析結果に基づいて、各々の参加者の嗜好を判定する嗜好判定部と、
各々の参加者の指示として、各々の参加者によって指定されたタグ情報である指定タグ情報を取得する指示取得部と、
各々の参加者用の抽出画像として、画像記憶部に記憶された複数の画像の中から各々の参加者によって指定された指定タグ情報に一致する解析タグ情報が付与され、かつ各々の参加者の嗜好に一致する画像を抽出する画像抽出部と、
各々の参加者用の抽出画像を各々の参加者に提示するディスプレイである画像提示部と、を備え、
前記画像解析部、前記タグ情報付与部、前記識別子付与部、前記嗜好判定部、前記指示取得部および前記画像抽出部は、ハードウェア、または、プログラムを実行するプロセッサである画像提示システムを提供する。
【発明の効果】
【００３３】
本発明によれば、イベントに参加した複数の参加者および１以上の同行者によって撮影された複数の画像の中から、各々の参加者によって指定された画像をダウンロードする、プリントを注文する、および、各々の参加者によって指定された画像、ないし各々の参加者によって指定され、かつ各々の参加者の嗜好に一致する画像を用いてフォトアルバム等の合成画像を作成して注文する等の所望の処理を行うことができる。従って、複数の画像の中から、各々の参加者が所望する画像を提供することができる。
【図面の簡単な説明】
【００３４】
【図１】本発明の画像提示システムの構成を表す第１の実施形態のブロック図である。
【図２】図１に示す画像提示システムの動作を表すフローチャートである。
【図３】図１に示す画像提示システムの動作を表す概念図である。
【図４】本発明の画像提示システムの構成を表す第２の実施形態のブロック図である。
【図５】図４に示す画像提示システムの動作を表すフローチャートである。
【図６】図４に示す画像提示システムの動作を表す概念図である。
【発明を実施するための形態】
【００３５】
以下に、添付の図面に示す好適実施形態に基づいて、本発明の画像提示システム、画像提示方法、プログラムおよび記録媒体を詳細に説明する。
【００３６】
図１は、本発明の画像提示システムの構成を表す第１の実施形態のブロック図である。図１に示す画像提示システム１０は、イベントの参加者および同行者によって撮影された複数の画像を参加者に提示するものであり、画像取得部１２と、識別子付与部１４と、画像記憶部１６と、画像解析部１８と、タグ情報付与部２０と、指示取得部２２と、画像抽出部２４と、画像提示部２６と、画像選択部２８と、合成画像生成部３０と、画像編集部３２と、注文受付部３４と、料金算出部３６と、を備えている。
【００３７】
画像提示システム１０において、画像取得部１２は、イベントに参加した複数の参加者およびイベントに同行した１以上の同行者によって撮影された複数の画像（写真）を取得する。
【００３８】
イベントは、複数の人が参加する各種の行事であり、特に限定されないが、例えば結婚披露宴および旅行ツアー等を例示することができる。
参加者は、イベントに参加する人であり、例えば結婚披露宴の場合、新郎新婦、両親、親戚、友人、職場の同僚等である。
同行者は、イベントの主催者、または主催者によって指定されてイベントに同行する人である。例えば旅行ツアーの場合、添乗員および参加者の画像（写真）を撮影するプロカメラマン等が含まれる。
【００３９】
画像取得部１２は、有線通信または無線通信によって画像を取得するインタフェイス回路である。
画像取得部１２は、各々の参加者および同行者が所有するスマートフォン（カメラ付きの携帯端末）のカメラ機能（カメラ付きの携帯端末にインストールされた画像撮影アプリケーション）によって画像が撮影された場合、例えばスマートフォンの無線通信機能によってスマートフォンからアップロード（送信）される画像を取得することができる。
【００４０】
一方、各々の参加者および同行者が所有するデジタルカメラによって画像が撮影された場合、例えばデジタルカメラによって撮影され、メモリカード等の記録媒体に記録された画像は、パーソナルコンピュータ（PC）およびノートPC等のように、有線または無線通信機能を有する通信装置に取り込まれて格納される。画像取得部１２は、通信機能によって通信装置からアップロードされる画像を取得することができる。また、デジタルカメラまたは記録媒体自体が通信機能を備えている場合、画像取得部１２は、デジタルカメラまたは記録媒体からアップロードされる画像を直接取得することができる。
【００４１】
画像の取得タイミングは特に限定されないが、例えば画像を撮影する毎に取得してもよいし、画像を定期的に取得してもよいし、あるいはイベントの終了直前にまとめて画像を取得してもよい。また、旅行ツアーのように数日間のイベントの場合、例えば宿泊先のホテルにおいて夜間に取得してもよい。ホテル等のように、無料でWi-Fi（Wireless Fidelity）が提供されている施設であれば、スマートフォンのデータ通信量、バッテリ残量および通信速度等を心配することなく、通信機能を利用することができる。
【００４２】
続いて、識別子付与部１４は、画像取得部１２によって取得される前の各々の画像、つまり、各々の参加者および同行者によって撮影された各々の画像に、各々の画像を撮影した人物の識別子を付与する。
【００４３】
スマートフォンのカメラ機能によって画像が撮影された場合、例えばスマートフォンにインストールされた画像撮影アプリケーションによって参加者毎に異なる識別子が付与される。一方、デジタルカメラによって画像が撮影された場合、デジタルカメラによって撮影された画像が格納された通信装置にインストールされた、画像を通信装置から画像記憶部１６にアップロードするためのアップロード専用アプリケーションによって参加者および同行者毎に異なる識別子が付与される。
【００４４】
識別子付与部１４となる画像撮影アプリケーションおよびアップロード専用アプリケーションは、参加者および同行者毎に異なる識別子を自動で生成して付与してもよい。
【００４５】
また、画像取得部１２が、各々の参加者および同行者が所有するデジタルカメラによって撮影された画像が格納された通信装置からアップロードされた各々の参加者および同行者の画像を取得する場合、識別子付与部１４は、各々の画像の付加情報に含まれるデジタルカメラの機種の情報を識別子として使用してもよい。あるいは、各々の参加者および同行者によって入力された固有の識別子を使用してもよい。
【００４６】
各々の参加者によって撮影された各々の参加者の顔画像が画像記憶部１６に記憶されている場合、識別子付与部１４は、画像記憶部１６に記憶された各々の参加者の顔画像を、各々の参加者によって撮影された画像を撮影した人物の識別子として使用してもよい。
【００４７】
画像取得部１２が、各々の参加者が所有するスマートフォンにインストールされた画像撮影アプリケーションによって撮影され、画像撮影アプリケーションからアップロードされた各々の参加者の画像を取得する場合、識別子付与部１４は、各々の参加者のスマートフォンに保存された各々の参加者の情報、例えば電話番号およびメールアドレス等を識別子として利用してもよい。
【００４８】
各々の参加者および同行者は、画像提示システム１０を利用する場合、例えばメールアドレスおよびユーザ名等のように、参加者および同行者毎に異なる情報を登録する。
従って、この参加者毎に異なる情報をアップロード専用アプリケーションに設定しておき、画像取得部１２が、各々の参加者が所有するデジタルカメラによって撮影された画像が格納された通信装置からアップロードされた各々の参加者の画像を取得する場合、識別子付与部１４は、アップロード専用アプリケーションに設定された各々の参加者の情報を識別子として使用してもよい。
【００４９】
同様に、画像取得部１２が、同行者が所有するデジタルカメラによって撮影された画像が格納された通信装置からアップロードされた同行者の画像を取得する場合、識別子付与部１４は、アップロード専用アプリケーションに設定された同行者の情報を識別子として使用してもよい。
【００５０】
なお、識別子付与部１４が画像に識別子を付与する方法、および、識別子を生成ないし取得する方法は特に限定されない。また、第１の実施形態の画像提示システム１０において、識別子を画像に付与することは必須ではない。
【００５１】
続いて、画像記憶部１６は、画像取得部１２によって取得された複数の画像、つまり、複数の参加者および１以上の同行者によって撮影された複数の画像を記憶する。
【００５２】
画像記憶部１６は、例えばクラウドストレージ等のようなストレージである。
画像がスマートフォンのカメラ機能によって撮影された場合、画像はスマートフォンの無線通信機能によってスマートフォンからインターネット等のネットワークを介してクラウドストレージ等の画像記憶部１６にアップロードされ、記憶される。また、画像がデジタルカメラによって撮影された場合、画像はデジタルカメラの記録媒体から通信装置に取り込まれ、通信装置から同様にして画像記憶部１６にアップロードされ、記憶される。
【００５３】
続いて、画像解析部１８は、画像記憶部１６に記憶された複数の画像の各々を解析する。
【００５４】
画像解析は、解析項目として、例えば人物の顔検出／顔認識、人物以外のオブジェクト認識（結婚式場全景、ウェディングケーキ、ブーケ等）およびシーン認識（夜景、海、紅葉、砂浜、空等）等の画像内容の解析、画像の明るさ、色合い、コントラストおよびボケブレの程度等の画像の画質の解析、Exif（Exchangeable Image File Format）などの画像の付加情報に含まれる撮影日時および撮影場所等の解析等を含む。
【００５５】
また、画像解析部１８は、顔検出／顔認識の解析結果に基づいて、複数の画像を参加者毎のグループに分類する人物分類、シーン認識の解析結果に基づいて、複数の画像をシーン毎のグループに分類するシーン分類、撮影日時の情報に基づいて、複数の画像を撮影日時毎のグループに分類する日時情報分類、撮影場所の情報に基づいて、複数の画像を撮影場所毎のグループに分類する位置情報分類、画像の解析結果に基づいて、画像毎に解析項目毎の評価スコアおよび全ての解析項目の総合の評価スコアの算出等の画像処理を行ってもよい。
ここで、プロカメラマンによって撮影された画像は、各々の参加者によって撮影された画像よりも、一般的に高品質であり、例えば画質および構図等がよい画像であると考えられる。これに応じて、各々の参加者がフォトアルバム等の合成画像を作成して注文するに当たり、画像解析部１８による各々の画像の評価、例えば解析項目毎の評価スコアおよび総合の評価スコアの算出の際に、プロカメラマンによって撮影された画像と、各々の参加者によって撮影された画像との間で画像の評価の重み付けの大きさを変えて各々の画像の評価スコアを算出してもよい。例えば、プロカメラマンによって撮影された画像の重み付けの大きさを、各々の参加者によって撮影された画像の重み付けの大きさよりも大きくしてもよい。逆に、各々の参加者によって撮影された画像を多く採用して手作り感および意外感等を高めるという目的で、プロカメラマンによって撮影された画像の重み付けの大きさよりも、各々の参加者によって撮影された画像の重み付けの大きさを大きくすることも考えられる。
【００５６】
なお、画像解析の項目および解析方法は特に限定されず、各種の画像解析の項目および解析方法を利用することができる。
【００５７】
続いて、タグ情報付与部２０は、画像解析部１８による各々の画像の解析結果に基づいて、各々の画像に解析タグ情報を付与する。
【００５８】
タグ情報付与部２０は、解析タグ情報として、各々の画像に関連する名称を付与する。例えばオブジェクト認識の結果、画像に「花」が写っていると判定された場合、その画像には「花」という解析タグ情報が付与される。シーン認識の結果、シーンが「海」であると判定された場合、その画像には「海」という解析タグ情報が付与される。また、ユーザによって入力された任意の名称のタグ情報を画像に付与してもよい。また、１つの画像に対して複数の解析タグ情報を付与してもよい。
【００５９】
なお、タグ情報付与部２０が解析タグ情報を付与する方法、および、付与する解析タグ情報の名称は特に限定されない。
【００６０】
続いて、指示取得部２２は、各々の参加者の指示として、各々の参加者によって入力された指示を取得する。
【００６１】
本実施形態の場合、指示取得部２２は、各々の参加者のスマートフォンおよびPC等から指定タグ情報を取得する他、後述する画像編集情報および指定画像情報等を取得する。
指定タグ情報は、各々の参加者がダウンロード（受信）する、プリントを注文する、および、フォトアルバム等の合成画像を作成して注文する等の処理を行うための画像を画像記憶部１６に記憶された複数の画像の中から指定するために、各々の参加者の指示として、各々の参加者によって指定されたタグ情報である。
【００６２】
指定タグ情報は、参加者が一覧表示（縮小表示）された一定数の画像の中から好みの画像を指定した場合に、その画像に対応する名称を使用してもよいし、その画像を選択したか否かを１または０で表すフラグでもよいし、あるいは、参加者が好みのオブジェクト（「山」などの一般オブジェクト名、「富士山」などの固有オブジェクト名、画像の解析結果によって得られた顔画像、人物およびアカウント等）を指定した場合に、そのオブジェクトに対応する名称を使用してもよい。
【００６３】
また、指定タグ情報として、参加者がタグ情報のリストの中から１つのタグ情報を選んで指定できるようにしてもよいし、任意の名称のテキストを入力できるようにしてもよい。あるいは、これらの両方を組み合わせて、まず、タグ情報のリストを表示し、指定タグ情報として、参加者が希望するタグ情報がリスト中に存在しない場合に、参加者が任意の名称のテキストを入力できるようにしてもよい。
【００６４】
なお、参加者が指定タグ情報を指定する方法は特に限定されない。
【００６５】
続いて、画像抽出部２４は、各々の参加者用の抽出画像として、画像記憶部１６に記憶された複数の画像の中から各々の参加者によって指定された指定タグ情報に一致する解析タグ情報が付与された画像を抽出する。
【００６６】
各々の参加者用の抽出画像は、各々の参加者が、ダウンロードする、プリントを注文する、および、フォトアルバム等の合成画像を作成する等の処理を行うために使用する画像である。
【００６７】
続いて、画像提示部２６は、画像抽出部２４によって抽出された各々の参加者用の抽出画像を各々の参加者に提示する。また、画像提示部２６は、合成画像生成部３０によって生成された各々の参加者用の合成画像を各々の参加者に提示する。
【００６８】
画像提示部２６は、画像表示装置であり、特に限定されないが、例えば液晶ディスプレイのように、スマートフォン、PC、ノートPCおよびタブレットPC等のディスプレイを例示することができる。
【００６９】
続いて、画像選択部２８は、フォトアルバム等の合成画像を作成するために、各々の参加者用の候補画像として、各々の参加者用の抽出画像の中から各々の画像の解析結果に基づいて画像を選択する。画像選択部２８は、各々の参加者用の候補画像として、各々の参加者用の抽出画像の中から各々の画像の評価スコア、例えば解析項目毎の評価スコアおよび総合の評価スコアに基づいて画像を選択することができる。
【００７０】
候補画像は、合成画像生成部３０によって自動で生成される各々の参加者用の合成画像において使用される画像である。
【００７１】
画像選択部２８が、画像を選択する方法は特に限定されないが、例えば人物およびオブジェクトが他の画像よりも大きく写っている画像、および、総合の評価スコアが他の画像よりも高い画像、つまり、画質がよい画像等を優先的に選ぶことができる。
【００７２】
続いて、合成画像生成部３０は、画像選択部２８によって選択された各々の参加者用の候補画像を用いて各々の参加者用の合成画像を生成する。
【００７３】
合成画像生成部３０が合成画像を生成する方法は特に限定されないが、例えば合成画像としてフォトアルバムを生成する場合、フォトアルバムの各々のページに候補画像を自動でレイアウトすることによってフォトアルバムを生成する。
【００７４】
続いて、画像編集部３２は、指示取得部２２によって取得された各々の参加者用の画像編集情報に応じて、合成画像生成部３０によって生成された各々の参加者用の合成画像を編集して各々の参加者用の編集後の合成画像を生成する。
【００７５】
画像編集情報は、各々の参加者の指示として、各々の参加者用の合成画像の編集を指示する情報である。
画像編集部３２が合成画像を編集する方法は特に限定されないが、例えば合成画像としてフォトアルバムを編集する場合、合成画像生成部３０によって自動で生成されたフォトアルバムの各々のページに配置された抽出画像の入れ替えおよびサイズの変更等を行って編集後のフォトアルバムを生成する。
【００７６】
続いて、注文受付部３４は、各々の参加者の指示に応じて、各々の参加者用の抽出画像の中から、指示取得部２２によって取得された指定画像情報に対応する画像（データ）のダウンロード、および、指定画像情報に対応する画像のプリントの少なくとも一方の注文を受け付ける。また、注文受付部３４は、各々の参加者の指示に応じて、各々の参加者用の編集後の合成画像（データ）のダウンロード、および、編集後の合成画像のプリントの少なくとも一方の注文を受け付ける。
【００７７】
指定画像情報は、画像のダウンロードおよびプリントの少なくとも一方の注文を行うために、各々の参加者の指示として、各々の参加者によって各々の参加者用の抽出画像の中から指定された画像の情報である。
【００７８】
続いて、料金算出部３６は、注文受付部３４によって受け付けられた注文に対する料金を算出する。
【００７９】
料金算出部３６は、例えば識別子付与部１４によって各々の画像に付与された識別子に基づいて、各々の参加者の画像と同行者の画像とを異なる料金に設定して料金を算出してもよい。プロカメラマンによって撮影された画像は、各々の参加者によって撮影された画像よりも、一般的に、画質および構図等がよい画像であると考えられる。従って、各々の参加者によって撮影された画像よりも、プロカメラマンによって撮影された画像の値段を高く設定することが考えられる。
また、料金は画像の評価の重み付けと連動していてもよいし、連動していなくてもよいが、プロカメラマンによって撮影された画像が合成画像に使用される場合に、その使用枚数に応じて料金を増やしてもよいし、逆に減らしてもよい。これにより、各々の参加者が、各々の参加者によって撮影された画像を合成画像に使用したくなる方向に誘導したり、プロカメラマンによって撮影された画像を合成画像に使用したくなる方向に誘導したりすることができる。
【００８０】
次に、図２に示すフローチャートに従って画像提示システム１０の動作を説明する。
【００８１】
結婚披露宴および旅行ツアー等のイベントにおいて、そのイベントに参加した各々の参加者およびプロカメラマン等の同行者は、スマートフォンのカメラ機能およびデジタルカメラ等の画像撮影装置を用いて様々な画像を撮影する。
【００８２】
各々の参加者および同行者は、例えばスマートフォンのカメラ機能を使用して画像を撮影する場合、図３に示すように、事前に配布された名刺サイズのカードからQR（Quick Response）コード（商標登録）を読み取る。QRコードには、URL（uniform resource locator）によって表される、スマートフォン用の画像撮影アプリケーションのダウンロード先のウェブサイトのアドレス、および、画像のアップロード先のアドレス等が格納されている。
【００８３】
各々の参加者および同行者は、ダウンロード先のウェブサイトから、スマートフォン用の画像撮影アプリケーションをダウンロードし、この画像撮影アプリケーションを使用して画像を撮影することができる。
【００８４】
QRコードが記載されたカードは、例えばイベントの開始時に各々の参加者および同行者に配布してもよいし、あるいは各々の参加者および同行者に事前に郵送してもよい。また、カード等の媒体でQRコードを配布することは必須ではなく、例えばQRコードを含む電子メールを各々の参加者および同行者に送信し、各々の参加者および同行者が電子メールを閲覧した場合に、その電子メールの中にQRコードが表示されるようにしてもよい。さらに、QRコードを利用することは必須ではない。
【００８５】
続いて、各々の参加者および同行者は、図３に示すように、各々の参加者および同行者が撮影した画像を、インターネット等のネットワークを介してクラウドストレージ等の画像記憶部１６にアップロードする。
【００８６】
例えば、画像がスマートフォンのカメラ機能によって撮影された場合、各々の参加者および同行者は、例えば画像撮影アプリケーションを使用して画像をアップロードする。一方、画像がデジタルカメラによって撮影された場合、各々の参加者および同行者は、例えばデジタルカメラの記録媒体に記録された画像をPC等の通信装置に取り込み、通信装置にインストールされたアップロード専用アプリケーションを使用して画像をアップロードする。
【００８７】
あるいは、各々の参加者および同行者は、例えばウェブブラウザ等を使用して、画像のアップロード先のアドレスに画像をアップロードすることもできる。
【００８８】
各々の参加者および同行者から複数の画像がアップロードされると、画像取得部１２により、各々の参加者および同行者からアップロードされる複数の画像が取得され（ステップS1）、画像記憶部１６に記憶される（ステップS2）。
【００８９】
続いて、画像提示部２６により、画像記憶部１６に記憶された画像が各々の参加者に提示される（ステップS3）。
【００９０】
つまり、各々の参加者は、図３に示すように、画像提示部２６によって提示された画像を閲覧することができる。例えば結婚披露宴において、プロジェクタ等を使用してスライドショー形式で表示される複数の画像を参加者の全員で鑑賞することができる。あるいは、スマートフォンおよびPC等の通信装置のディスプレイ等に表示される複数の画像を各々の参加者が個別に閲覧することができる。
【００９１】
続いて、画像解析部１８により、画像記憶部１６に記憶された複数の画像の各々が解析され（ステップS4）、タグ情報付与部２０により、各々の画像の解析結果に基づいて、各々の画像に解析タグ情報が付与される（ステップS5）。
【００９２】
続いて、各々の参加者は、図３に示すように、画像をダウンロードする、プリントを注文する、及び、フォトアルバム等の合成画像を作成する等の処理を行う場合に、各々の参加者のスマートフォンおよびPC等の通信装置から指定タグ情報を入力する。
【００９３】
各々の参加者によって指定タグ情報が入力されると、指示取得部２２により、各々の参加者の指示として、各々の参加者によって指定された指定タグ情報が取得される（ステップS6）。
【００９４】
続いて、画像抽出部２４により、各々の参加者用の抽出画像として、画像記憶部１６に記憶された複数の画像の中から各々の参加者によって指定された指定タグ情報に一致する解析タグ情報が付与された画像が抽出される（ステップS7）。
【００９５】
続いて、画像提示部２６により、各々の参加者用の抽出画像が各々の参加者に提示される（ステップS8）。複数の画像は、例えば各々の参加者のスマートフォンおよびPC等の通信装置のディスプレイに表示される。
【００９６】
続いて、画像選択部２８により、フォトアルバム等の合成画像を作成するために、各々の参加者用の候補画像として、各々の参加者用の抽出画像の中から各々の画像の解析結果に基づいて画像が選択される（ステップS9）。
【００９７】
続いて、合成画像生成部３０により、各々の参加者用の候補画像を用いて各々の参加者用の合成画像が生成され（ステップS10）、画像提示部２６により、各々の参加者用の合成画像が各々の参加者に提示される（ステップS11）。合成画像は、例えば各々の参加者のスマートフォンおよびPC等の通信装置のディスプレイに表示される。
【００９８】
各々の参加者は、各々の参加者に提示された合成画像を確認し、必要に応じて、例えば画像を入れ替えたり、画像のサイズを変更したりして合成画像を編集する。
【００９９】
続いて、指示取得部２２により、各々の参加者の指示として、各々の参加者用の画像編集情報が取得される（ステップS12）。
【０１００】
続いて、画像編集部３２により、各々の参加者の画像編集情報に応じて、各々の参加者用の合成画像が編集されて各々の参加者用の編集後の合成画像が生成され（ステップS13）、画像提示部２６により、各々の参加者用の編集後の合成画像が各々の参加者に提示される（ステップS14）。編集後の合成画像は、例えば各々の参加者のスマートフォンおよびPC等の通信装置のディスプレイに表示される。
【０１０１】
各々の参加者は、各々の参加者に提示された各々の参加者用の抽出画像の中から所望の画像を指定してダウンロードしたり、プリントを注文するための指示を入力したりする。また、各々の参加者は、各々の参加者に提示された各々の参加者用の編集後の合成画像を確認し、各々の参加者用の編集後の合成画像をダウンロードしたり、プリントを注文するための指示を入力したりする。
【０１０２】
続いて、指示取得部２２により、各々の参加者の指示として、各々の参加者によって指定された画像の指定画像情報、および、注文の指示が取得される（ステップS15）。
【０１０３】
続いて、注文受付部３４により、各々の参加者の指示に応じて、各々の参加者用の抽出画像の中の指定画像情報に対応する画像（データ）および各々の参加者用の編集後の合成画像（データ）のダウンロード、および、プリントの少なくとも一方の注文が受け付けられる（ステップS16）。
【０１０４】
続いて、料金算出部３６により、各々の参加者の注文に対する料金が算出され（ステップS17）、画像提示部２６により、各々の参加者の注文に対する料金が各々の参加者に提示される（ステップS18）。
【０１０５】
画像提示システム１０においては、イベントに参加した複数の参加者および１以上の同行者によって撮影された複数の画像の中から、各々の参加者によって指定された画像をダウンロードする、プリントを注文する、および、各々の参加者によって指定された画像を用いてフォトアルバム等の合成画像を作成して注文する等の所望の処理を行うことができる。従って、複数の画像の中から、各々の参加者が所望する画像を提供することができる。
【０１０６】
次に、図４は、本発明の画像提示システムの構成を表す第２の実施形態のブロック図である。図に示す画像提示システム４０は、図１に示す画像提示システム１０において、さらに、嗜好判定部３８を備えている。
つまり、画像提示システム４０は、画像取得部１２と、識別子付与部１４と、画像記憶部１６と、画像解析部１８と、タグ情報付与部２０と、指示取得部２２と、画像抽出部２４と、画像提示部２６と、画像選択部２８と、合成画像生成部３０と、画像編集部３２と、注文受付部３４と、料金算出部３６と、嗜好判定部３８と、を備えている。
【０１０７】
画像提示システム４０において、嗜好判定部３８は、各々の参加者の識別子および各々の画像の解析結果に基づいて、各々の参加者の嗜好を判定する。
【０１０８】
イベントの参加者が撮影する画像は、被写体が本人以外は撮影者、つまり、その画像を撮影した参加者が欲しい画像である。嗜好判定部３８は、ある参加者の識別子が付与された画像、および、その画像の解析結果から、例えばその参加者の識別子が付与された画像の中で人物が写っている画像の枚数が多い場合、その参加者は、人物が写っている画像が好きであるというように、その参加者の嗜好を判定することができる。
また、風景の画像の枚数が多い場合およびオブジェクトが写っている画像の枚数が多い場合も同様にして、その参加者の嗜好が風景の画像およびオブジェクトが写っている画像であると判定する。
【０１０９】
なお、嗜好判定部３８が参加者の嗜好を判定する方法は特に限定されない。
【０１１０】
次に、図５に示すフローチャートに従って画像提示システム４０の動作を説明する。
【０１１１】
画像提示システム４０において、各々の参加者および同行者が画像を撮影し、撮影された画像を、ネットワークを介して画像記憶部１６にアップロードするまでの動作は、画像提示システム１０の場合の動作と同様である。ただし、画像提示システム４０の場合、QRコードを使用せず、各々参加者および同行者が画像撮影アプリケーションをスマートフォンにインストール、または、アップロード専用アプリケーションをPC等の通信装置にインストールして使用する。
【０１１２】
図６に示すように、各々の参加者および同行者が画像をアップロードする前に、つまり、画像が画像取得部１２によって取得される前に、画像撮影アプリケーションおよびアップロード専用アプリケーションにより、各々の画像を撮影した人物の識別子が各々の画像に付与される（ステップS21）。
【０１１３】
続く、画像の取得（ステップS22）、画像の記憶（ステップS23）、画像の提示（ステップS24）、画像の解析（ステップS25）、解析タグ情報の付与（ステップS26）までの動作は、画像提示システム１０のステップS1〜S5までの動作と同じである。
【０１１４】
続いて、嗜好判定部３８により、各々の参加者の識別子および各々の画像の解析結果に基づいて、各々の参加者の嗜好が判定される（ステップS27）。
【０１１５】
続いて、各々の参加者および同行者は、事前に登録されている各々の参加者および同行者の情報を用いて画像提示システム４０にログインする。
【０１１６】
続く、指定タグ情報の取得（ステップS28）の動作は、画像提示システム１０のステップS6の動作と同じである。
【０１１７】
続いて、画像抽出部２４により、各々の参加者用の抽出画像として、画像記憶部１６に記憶された複数の画像の中から各々の参加者によって指定された指定タグ情報に一致する解析タグ情報が付与され、かつ各々の参加者の嗜好に一致する画像が抽出される（ステップS29）。
【０１１８】
続いて、画像提示部２６により、各々の参加者用の抽出画像が各々の参加者に提示される（ステップS30）。
【０１１９】
ここで、各々の参加者および同行者は、画像提示システム４０にログインし、かつ嗜好判定部３８により、各々の参加者の嗜好が判定されている。従って、画像提示部２６は、各々の参加者用の抽出画像を提示する場合に、各々の参加者用の抽出画像の中から、例えば各々の参加者の識別子が付与された画像および各々の参加者の嗜好に一致する画像を優先的に提示することができる。
【０１２０】
続く、画像の選択（ステップS31）、合成画像の生成（ステップS32）、合成画像の提示（ステップS33）、画像編集情報の取得（ステップS34）、編集後の合成画像の生成（ステップS35）、編集後の合成画像の提示（ステップS36）、指定画像情報および注文の指示の取得（ステップS37）、注文の受け付け（ステップS38）、料金の算出（ステップS39）および料金の提示（ステップS40）の動作は、画像提示システム１０のステップS9〜S18の動作と同じである。
【０１２１】
画像提示システム４０においては、イベントに参加した複数の参加者および１以上の同行者によって撮影された複数の画像の中から、各々の参加者によって指定された画像をダウンロードする、プリントを注文する、および、各々の参加者によって指定され、かつ各々の参加者の嗜好に一致する画像を用いてフォトアルバム等の合成画像を作成して注文する等の所望の処理を行うことができる。従って、複数の画像の中から、各々の参加者が所望する画像を提供することができる。
【０１２２】
本発明の装置において、例えば識別子付与部１４、画像解析部１８、タグ情報付与部２０、指示取得部２２、画像抽出部２４、画像選択部２８、合成画像生成部３０、画像編集部３２、注文受付部３４、料金算出部３６および嗜好判定部３８等の各種の処理を実行する処理部（Processing Unit）のハードウェア的な構成は、専用のハードウェアであってもよいし、プログラムを実行する各種のプロセッサまたはコンピュータであってもよい。
【０１２３】
各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、ＡＳＩＣ（Application Specific Integrated Circuit）等の特定の処理をさせるために専用に設計された回路構成を有するプロセッサである専用電気回路等が含まれる。
【０１２４】
１つの処理部を、これら各種のプロセッサのうちの１つで構成してもよいし、同種または異種の２つ以上のプロセッサの組み合わせ、例えば、複数のＦＰＧＡの組み合わせ、または、ＦＰＧＡおよびＣＰＵの組み合わせ等によって構成してもよい。また、複数の処理部を、各種のプロセッサのうちの１つで構成してもよいし、複数の処理部のうちの２以上をまとめて１つのプロセッサを用いて構成してもよい。
【０１２５】
例えば、サーバおよびクライアント等のコンピュータに代表されるように、１つ以上のＣＰＵとソフトウェアの組み合わせで１つのプロセッサを構成し、このプロセッサが複数の処理部として機能する形態がある。また、システムオンチップ（System on Chip：ＳｏＣ）等に代表されるように、複数の処理部を含むシステム全体の機能を１つのＩＣ（Integrated Circuit）チップで実現するプロセッサを使用する形態がある。
【０１２６】
さらに、これらの各種のプロセッサのハードウェア的な構成は、より具体的には、半導体素子などの回路素子を組み合わせた電気回路（Circuitry）である。
【０１２７】
また、本発明の方法は、例えば、その各々のステップをコンピュータに実行させるためのプログラムにより実施することができる。また、このプログラムが記録されたコンピュータ読み取り可能な記録媒体を提供することもできる。
【０１２８】
以上、本発明について詳細に説明したが、本発明は上記実施形態に限定されず、本発明の主旨を逸脱しない範囲において、種々の改良や変更をしてもよいのはもちろんである。
【符号の説明】
【０１２９】
１０、４０  画像提示システム
１２  画像取得部
１４  識別子付与部
１６  画像記憶部
１８  画像解析部
２０  タグ情報付与部
２２  指示取得部
２４  画像抽出部
２６  画像提示部
２８  画像選択部
３０  合成画像生成部
３２  画像編集部
３４  注文受付部
３６  料金算出部
３８  嗜好判定部
【図１】
0006735907.tif 000002
【図２】
0006735907.tif 000003
【図３】
0006735907.tif 000004
【図４】
0006735907.tif 000005
【図５】
0006735907.tif 000006
【図６】
0006735907.tif 000007